(57)【要約】      （修正有）【課題】地域毎の疾患に関するデータを、ユーザに対して分かりやすく提示することのできる表示管理サーバを提供する。【解決手段】表示管理サーバ１０は、健康情報ＤＢ２０から疾患リスク情報を抽出し、マップ生成指示に従い、疾患リスク情報から表示画面生成部１０３における疾患リスクマップの生成に必要なデータを抽出し、抽出したデータを表示画面生成部１０３に供給する疾患リスク情報抽出部１０２と、各ユーザの遺伝子解析結果を参照して得られるデータであって、疾患に関するデータを示す１又は複数のオブジェクトを、各ユーザの属する地域毎に地図上に配置した疾患リスクマップを生成する表示画面生成部１０３を備えている。【選択図】図１
2016033796.tif 000002
【特許請求の範囲】
【請求項１】
各ユーザの遺伝子解析結果を参照して得られるデータであって、疾患に関するデータを示す１又は複数のオブジェクトを、各ユーザの属する地域毎に地図上に配置した表示画面を生成する画面生成手段を備えている、
ことを特徴とする表示管理サーバ。
【請求項２】
上記疾患に関するデータは、疾患リスクに関するデータである、
ことを特徴とする請求項１に記載の表示管理サーバ。
【請求項３】
上記オブジェクトは、上記疾患リスクの地域毎の統計に関するデータを示すものである、
ことを特徴とする請求項２に記載の表示管理サーバ。
【請求項４】
上記統計に関するデータは、上記疾患リスクの地域毎の平均値である、
ことを特徴とする請求項３に記載に表示管理サーバ。
【請求項５】
上記オブジェクトは、各地域に属する各ユーザのユーザ毎の疾患リスクに関するデータを示すものである、
ことを特徴とする請求項２に記載の表示管理サーバ。
【請求項６】
上記オブジェクトには、上記データに応じた色が付されている、
ことを特徴とする請求項２から５の何れか１項に記載の表示管理サーバ。
【請求項７】
ユーザによる選択指示を示す選択情報を取得する選択情報取得手段を更に備え、
上記画面生成手段は、上記データのうち、上記選択情報によって指定される疾患の疾患リスクに関するデータを示す１又は複数のオブジェクトを、各ユーザの属する地域毎に地図上に配置した表示画面を生成する、
ことを特徴とする請求項２から６の何れか１項に記載の表示管理サーバ。
【請求項８】
各ユーザの遺伝子解析結果を参照して得られるデータであって、疾患リスクに関するデータを示す１又は複数のオブジェクトを、各ユーザの属する地域毎に地図上に配置した表示画面を生成する画面生成ステップを含んでいる、
ことを特徴とする画面生成方法。
【請求項９】
請求項１から７のいずれか１項に記載の表示管理サーバとしてコンピュータを機能させるためのプログラムであって、コンピュータを上記各手段として機能させるためのプログラム。
【発明の詳細な説明】
【技術分野】
【０００１】
本発明は、表示画面を生成する表示管理サーバ、及び、そのような表示管理サーバの画面生成方法に関する。また、そのような表示管理サーバとしてコンピュータを動作させるプログラムに関する。
【背景技術】
【０００２】
近年、人々の健康への意識が高まっていることを背景として、人々の健康に関する情報を取り扱うサービスの開発が盛んに行われている。
【０００３】
例えば、ユーザの遺伝子を検査し、その検査結果に基づいてユーザにとって発症リスクの高い疾患をユーザに提示する遺伝子検査サービスが提供されている。このようなサービスの一例として、特許文献１では、被験者に対し、各疾患に対する現在の危険度、及び、将来の疾患度の予測値を、レーダーチャートとして提示する技術が開示されている。
【先行技術文献】
【特許文献】
【０００４】
【特許文献１】特許５１２１４４９号公報（２０１２年１１月２日登録）
【発明の概要】
【発明が解決しようとする課題】
【０００５】
一般に、各被験者の疾患の発症リスク（単に、疾患リスクと呼ぶこともある）は地域（国、都道府県、市町村等）毎に異なり得る。すなわち、ある地域では、ある疾患のリスクが高く、他の地域では、その疾患のリスクが低いといったことが起こり得る。このため、各被験者にとって、自身の属する地域又は他の地域に属する他の被験者に関する疾患リスクの情報は有用なものとなり得る。
【０００６】
一方で、上述のような従来技術では、地域毎の疾患リスクをユーザに対して分かり易く提示することはできなかった。
【０００７】
本発明は、上記の課題を解決するためになされたものであり、その目的は、地域毎の疾患に関するデータを、ユーザに対して分かりやすく提示することのできる表示管理サーバを実現することにある。
【課題を解決するための手段】
【０００８】
本発明の一態様に係る表示管理サーバは、上記の課題を解決するために、各ユーザの遺伝子解析結果を参照して得られるデータであって、疾患に関するデータを示す１又は複数のオブジェクトを、各ユーザの属する地域毎に地図上に配置した表示画面を生成する画面生成手段を備えている、ことを特徴とする。
【０００９】
上記の構成によれば、上記表示管理サーバは、各ユーザの疾患に関するデータであって、各ユーザの遺伝子解析結果を参照して得られるデータを示す１又は複数のオブジェクトを、各ユーザの属する地域毎に地図上に表示した表示画面を生成する。従って、上記表示管理サーバによれば、遺伝子解析結果を参照して得られるデータであって地域毎の疾患に関するデータの、地域毎の特性を、ユーザに対して分かりやすく提示することができる。また、ユーザは、このような表示画面を閲覧することで、遺伝子解析結果を参照して得られるデータの、地域毎の特性を容易に認識することができる。
【００１０】
なお、疾患に関するデータを示すオブジェクトは、疾患リスクに関するデータを示すものであってもよいし、疾患自体（例えば疾患の名称等）を示すものであってもよい。
【００１１】
本発明の一態様に係る表示管理サーバにおいて、上記疾患に関するデータは、疾患リスクに関するデータである、ことが好ましい。
【００１２】
上記の構成によれば、上記表示管理サーバによれば、遺伝子解析結果を参照して得られるデータであって地域毎の疾患に関するデータの、地域毎の特性を、ユーザに対して分かりやすく提示することができる。また、ユーザは、このような表示画面を閲覧することで、遺伝子解析結果を参照して得られるデータの、地域毎の特性を容易に認識することができる。
【００１３】
本発明の一態様に係る表示管理サーバにおいて、上記オブジェクトは、上記疾患リスクの地域毎の統計に関するデータを示すものである、ことが好ましい。
【００１４】
上記の構成によれば、上記表示管理サーバは、疾患リスクの地域毎の統計に関するデータを示すオブジェクトを地図上に表示した表示画面を生成する。従って、上記表示管理サーバは、遺伝子解析結果を参照して得られるデータの、地域毎の特性を、地域毎の統計に関するデータを示すオブジェクトにより、ユーザに対して分かりやすく提示することができる。
【００１５】
本発明の一態様に係る表示管理サーバにおいて、上記統計に関するデータは、上記疾患リスクの地域毎の平均値である、ことが好ましい。
【００１６】
上記の構成によれば、上記表示管理サーバは、遺伝子解析結果を参照して得られるデータの、地域毎の特性を、地域毎の平均値を示すオブジェクトにより、ユーザに対して分かりやすく提示することができる。
【００１７】
本発明の一態様に係る表示管理サーバにおいて、上記オブジェクトは、各地域に属する各ユーザのユーザ毎の疾患リスクに関するデータを示すものである、ことが好ましい。
【００１８】
上記の構成によれば、上記表示管理サーバは、遺伝子解析結果を参照して得られるデータの、地域毎の特性を、ユーザ毎の疾患リスクに関するデータを示すオブジェクトにより、ユーザに対して分かりやすく提示することができる。
【００１９】
本発明の一態様に係る表示管理サーバにおいて、上記オブジェクトには、上記データに応じた色が付されている、ことが好ましい。
【００２０】
上記の構成によれば、上記表示管理サーバは、上記データの地域毎の特性を、上記データに応じた色が付されたオブジェクトにより、ユーザに対して分かりやすく提示することができる。
【００２１】
本発明の一態様に係る表示管理サーバは、ユーザによる選択指示を示す選択情報を取得する選択情報取得手段を更に備え、上記画面生成手段は、上記データのうち、上記選択情報によって指定される疾患の疾患リスクに関するデータを示す１又は複数のオブジェクトを、各ユーザの属する地域毎に地図上に配置した表示画面を生成する、ことが好ましい。
【００２２】
上記の構成によれば、上記表示管理サーバは、選択情報取得手段により取得された選択情報に従い、上記選択情報によって指定される疾患の疾患リスクに関するデータを示す１又は複数のオブジェクトを、各ユーザの属する地域毎に地図上に配置した表示画面を生成する。これにより、上記表示管理サーバは、ユーザの指定する疾患についての表示画面を生成することができる。また、ユーザは、このような表示画面を閲覧することで、所望の疾患について、遺伝子解析結果を参照して得られるデータの、地域毎の特性を容易に認識することができる。
【００２３】
本発明の一態様に係る表示管理サーバの画面生成方法は、各ユーザの遺伝子解析結果を参照して得られるデータであって、疾患リスクに関するデータを示す１又は複数のオブジェクトを、各ユーザの属する地域毎に地図上に配置した表示画面を生成する画面生成ステップを含んでいる、ことを特徴とする。
【００２４】
上記の構成によれば、上述の表示管理サーバと同様の効果を奏することができる。
【００２５】
本発明の各態様に係る表示管理サーバは、コンピュータによって実現してもよく、この場合には、コンピュータを上記表示管理サーバが備える各手段として動作させることにより上記表示管理サーバをコンピュータにて実現させる表示管理サーバのプログラム、およびそれを記録したコンピュータ読み取り可能な記録媒体も、本発明の範疇に入る。
【発明の効果】
【００２６】
本発明の一態様によれば、地域毎の疾患に関するデータを、ユーザに対して分かりやすく提示することのできる表示管理サーバを実現することができる。
【図面の簡単な説明】
【００２７】
【図１】本発明の一実施形態に係る表示管理サーバ及びユーザ端末の構成を示すブロック図である。
【図２】本発明の一実施形態に係る健康管理システムの構成を示す模式図である。
【図３】本発明の一実施形態に係るユーザ毎の疾患リスクの一例を示す表である。
【図４】本発明の一実施形態に係る都道府県毎の疾患リスクの一例を示す表である。
【図５】本発明の一実施形態に係る地方毎の疾患リスクの一例を示す図である。
【図６】本発明の一実施形態に係る表示管理サーバ、健康情報ＤＢ及びユーザ端末における処理の流れを示すシーケンス図である。
【図７】本発明の一実施形態に係る疾患リスクマップの一例を示す図である。
【図８】本発明の一実施形態に係る疾患リスクマップの他の例を示す図である。
【発明を実施するための形態】
【００２８】
以下、本発明の実施の形態について、詳細に説明する。ただし、以下の実施形態に記載されている構成は、特に特定的な記載がない限り、この発明の範囲をそれのみに限定する趣旨ではなく、単なる説明例に過ぎない。
【００２９】
〔健康管理システム〕
まず、本実施形態に係る健康管理システム１の構成について、図２を参照して説明する。図２は、本実施形態に係る健康管理システム１の構成を示す模式図である。
【００３０】
図２に示すように、健康管理システム１は、表示管理サーバ１０、健康情報ＤＢ（データベース）２０、ユーザ端末３０、及び、検査装置４０を含んで構成されている。
【００３１】
本実施形態に係る健康管理システム１において、ユーザ端末３０を所有するユーザは、自身の遺伝子が含まれる被験体サンプル（例えば、唾液、血液などの体液、口腔粘膜などの組織など）を所定の機関に送付する。所定の機関は、例えば、病院であってもよいし、遺伝子の解析が可能な研究施設であってもよいし、表示管理サーバ１０によるサービスを提供する機関などであってもよい。所定の機関は、ユーザから送られた被験体サンプルからユーザの遺伝子を解析し、解析結果を健康情報ＤＢ２０に格納する。
【００３２】
また、ユーザは、ユーザ端末３０を利用して表示管理サーバ１０にアクセスすることにより、自身の遺伝子の解析結果、又は、自身の遺伝子の解析結果に基づいた健康に関する情報などを確認することができる。
【００３３】
（表示管理サーバ）
表示管理サーバ１０は、各ユーザの所有するユーザ端末３０の各々に対して、疾患に関する１又は複数の因子と、各因子の対象ユーザ（該ユーザ端末３０を所有するユーザ）への関連性を示す情報とを含む表示画面を提供する。表示管理サーバ１０の具体的な構成については、参照する図面を替えて後述する。
【００３４】
なお、本実施形態では、実世界に存在する疾患のうち、互いに異なる疾患を「疾患Ａ」、「疾患Ｂ」、「疾患Ｃ」、…のように記載するものとする。疾患Ａ、疾患Ｂ、疾患Ｃなどの各具体例としては、例えば、肝臓がん、前立腺がん、乳がん、食道がん、関節リウマチ、骨粗しょう症、心筋梗塞、心不全、糖尿病、２型糖尿病、慢性肝臓病、子宮体がん（子宮内膜がん）、アルツハイマー病、クローン病、喘息、歯周病、膀胱がん、高血圧、ＣＯＰＤ（慢性閉塞性肺疾患）、胃がん、膵炎、膵臓がん、静脈血栓塞栓症、脳梗塞、肺がん、メタボリックシンドローム、循環器疾患、呼吸器疾患、及び、虚血性心疾患、などが挙げられるが、これらの具体例は、本実施形態を限定するものではない。
【００３５】
また、本実施形態において、疾患に関する因子には、当該疾患の原因となり得る因子である危険因子、及び、当該疾患を予防し得る因子である予防因子の少なくとも何れかが含まれる。危険因子としては、例えば喫煙、肥満、及び生活習慣病などが挙げられ、予防因子としては、例えば運動、及び睡眠などが挙げられるが、これらの具体例もまた、本実施形態を限定するものではない。
【００３６】
（健康情報ＤＢ）
健康情報ＤＢ２０には、健康に関する情報が格納されている。また、健康情報ＤＢ２０に格納されている、健康に関する情報には、以下に説明するように、（１）ユーザに関す情報、並びに、（２）疾患及び因子の少なくとも何れかに関連する情報などが含まれる。なお、疾患及び因子の少なくとも何れかに関連する情報を、以降では単に「関連情報」とも記載する。
【００３７】
ユーザに関する情報には、例えば以下の情報が含まれる。
・ユーザＩＤ：ユーザ毎に割り当てられた固有の識別子
・ユーザ基本情報：例えば名前、年齢、性別、及び遺伝子情報など、各ユーザの特性を示す情報
・疾患リスク情報：ユーザが各疾患を発症するリスク（疾患リスク）の度合い（リスク度）を示す情報
・健康診断情報：ユーザが病院などで受けた健康診断および診療などに関する情報
・処方情報：ユーザが病院および薬局などで受けた処方箋などに関する情報
・運動関連情報：ユーザの運動などに関する情報
・食事関連情報：ユーザの食事などに関する情報
なお、疾患リスクのリスク度は、例えば、統計や論文データ等に基づく、疾患の平均的な発症率を１とした場合の、ユーザの該疾患の発症率の平均的な発症率に対する相対値で示されてもよいし、ユーザが疾患を発症する可能性を１０段階で評価した値で示されてもよいし、特に限定されない。
【００３８】
ここで、疾患リスク情報の一例について、図３から図５を参照して説明する。図３は、本実施形態に係る健康情報ＤＢ２０により管理されているユーザ毎の疾患リスクの一例を示す表である。図４は、本実施形態に係る健康情報ＤＢ２０により管理されている都道府県毎の疾患リスクの一例を示す表である。また、図５は、本実施形態に係る健康情報ＤＢ２０により管理されている地方毎の疾患リスクの一例を示す表である。
【００３９】
図３に示すように、健康情報ＤＢ２０において、ユーザ毎に、ユーザが属する（居住又は出身など）都道府県、属する地方、及び、各疾患の疾患リスクのリスク度が管理されている。例えば、ユーザＩＤが１００００１であるユーザの属する都道府県は北海道であり、属する地方は北海道であり、また、各疾患リスクは、疾患Ａが０．６（つまり、平均的な疾患Ａの発症率の０．６倍）、疾患Ｂが０．９、疾患Ｃが２．０、疾患Ｄが０．４である。
【００４０】
また、図４及び図５に示すように、健康情報ＤＢ２０において、都道府県毎および地方毎に、各疾患の疾患リスクの統計値（統計データ）（図４及び図５の例では、平均値）が管理されている。例えば、図４に示すように、青森県における各疾患の疾患リスクの平均値は、疾患Ａが０．６であり、疾患Ｂが１．２であり、疾患Ｃが０．５であり、疾患Ｄが１．２である。また、図５に示すように、東北地方における各疾患の疾患リスクの平均値は、疾患Ａが０．６であり、疾患Ｂが１．２であり、疾患Ｃが０．９であり、疾患Ｄが０．９である。
【００４１】
なお、健康情報ＤＢにおいて管理される都道府県毎および地方毎の疾患リスクの統計値は、平均値に限定されるものではなく、例えば、標準偏差であってもよいし、平均値と共に統計誤差を示すものであってもよいし、特に限定されるものではない。また、各疾患の疾患リスクの統計値もまた、疾患の平均的な発症率を１とした場合の、地域の該疾患の発症率の平均的な発症率に対する相対値で示されてもよいし、地域に属するユーザが疾患を発症する可能性の統計値を１０段階で評価した値で示されてもよいし、特に限定されない。
【００４２】
また、健康診断情報、処方情報、運動関連情報、及び食事関連情報は、例えば、表示管理サーバ１０が、ユーザ端末３０において実行されるアプリケーション、又は、ウェブブラウザなどから入力された情報を、ネットワークを介して取得すればよい。また、運動関連情報は、例えば、ユーザが使用する健康器具などからネットワークを介して取得されてもよい。
【００４３】
なお、ユーザに関する情報（ユーザＩＤを除く）、及び、ユーザの健康に関する情報は、それぞれ対応するユーザＩＤに関連づけられて格納されている。
【００４４】
また、関連情報には、例えば以下の情報が含まれる。
・因子−疾患相関情報：因子と疾患との相関関係を示す情報
・統計情報：疾患や因子に関する統計的な情報
・因子関連情報：因子の性質、及び、因子による健康への影響、アドバイスなどに関する情報
・疾患関連情報：疾患の性質などに関する情報
また、統計情報には、例えば、特定の地域及び期間における、ある疾患を死因とする死亡者数や、特定の地域及び期間における、ある疾患を死因とする死亡者数の全死亡者数に対する割合等が含まれ得る。
【００４５】
なお、ユーザに関する情報、及び、関連情報に含まれる情報は、上述の情報に限定されるものではない。例えば、関連情報には、上述の情報に加えて、因子及び疾患の少なくとも何れかに関する詳細な情報が含まれていてもよいし、因子を含むユーザ向けメッセージが含まれていてもよいし、疾患に関するアドバイスが含まれていてもよい。
【００４６】
（ユーザ端末）
ユーザ端末３０は、表示管理サーバ１０から提供される表示画面を表示する。なお、ユーザ端末３０としては、例えば、ＰＣ（パーソナルコンピュータ）、携帯電話、スマートフォン、及び、タブレット端末などを挙げることができるが、本実施形態はこれらに限定されるものではない。ユーザ端末３０の具体的な構成については、参照する図面を替えて後述する。
【００４７】
（検査装置）
検査装置４０は、ユーザの被験体サンプルが送付される所定の機関に設置された装置であって、送付された被験体サンプルからユーザの遺伝子を解析する装置である。なお、検査装置４０については従来の装置を使用することができるため、ここではその詳細な説明は省略する。
【００４８】
検査装置４０は、ユーザの遺伝子の解析結果を上述のユーザ基本情報の１つとして、健康情報ＤＢ２０に格納する。また、本実施形態では、検査装置４０は、ユーザの遺伝子の解析結果に基づき、該ユーザの各疾患の疾患リスクを算出すると共に、算出した疾患リスクを該ユーザの疾患リスク情報として健康情報ＤＢ２０に格納する。
【００４９】
検査装置４０は、ユーザの遺伝子に含まれる遺伝子マーカー（例えば、ＳＮＰ）を直接検出するものであってもよいし、ユーザの遺伝子のシーケンスデータを読み取り、当該シーケンスデータから遺伝子マーカーを検出するものであってもよい。そして、検査装置４０は、検出した遺伝子マーカーと各種の疾患との関連性情報を参照して、ユーザの各疾患の疾患リスクを算出する。遺伝子マーカーと各種の疾患との関連性情報は、例えば、種々の研究論文情報を根拠として予め作成されたものであり得る。
【００５０】
なお、検査装置４０においてユーザの各疾患の疾患リスクを算出する構成を例に挙げて説明したが、本発明はこれに限定されるものではない。例えば、表示管理サーバ１０が、健康情報ＤＢ２０に格納されている健康情報の解析結果を参照してユーザの遺伝子の解析結果から該ユーザの各疾患の疾患リスクを算出し、健康情報ＤＢ２０に格納する構成を採用することもできる。また、表示管理サーバ１０が、ユーザの遺伝子のシーケンスデータから遺伝子マーカーを検出してもよい。
【００５１】
〔表示管理サーバ、ユーザ端末の構成〕
次に、本実施形態に係る健康管理システム１に含まれる表示管理サーバ１０及びユーザ端末３０の構成について、図１を参照して説明する。図１は、本実施形態に係る表示管理サーバ１０及びユーザ端末３０の構成及び機能を示すブロック図である。なお、図１では、説明の簡単化のため、健康管理システム１の備える表示管理サーバ１０、健康情報ＤＢ２０及びユーザ端末３０のみを図示し、他の構成は省略している。
【００５２】
（表示管理サーバの構成）
図１に示すように、本実施形態に係る表示管理サーバ１０は、通信部１０１、及び制御部１１０を備えており、また、制御部１１０は、疾患リスク情報抽出部１０２、及び、表示画面生成部（画面生成手段）１０３としての機能を有している。
【００５３】
通信部１０１は、ユーザ端末３０とネットワークを介して無線通信を行うインターフェースである。通信部１０１は、ユーザ端末３０から送信されるユーザＩＤを受信する。通信部１０１は、受信したユーザＩＤを、制御部１１０の疾患リスク情報抽出部１０２に供給する。
【００５４】
また、通信部１０１は、ユーザ端末３０から送信される表示画面生成指示を受信すると、受信した表示画面生成指示を疾患リスク情報抽出部１０２に供給する。ここで、表示画面生成指示とは、ユーザ端末３０の操作部３０４を介してユーザから入力される、表示画面を生成する旨のユーザ指示を指す。
【００５５】
表示画面生成部１０３は、ユーザ端末３０に配信するための表示画面を生成する。ここで、表示画面を生成するとは、ユーザ端末３０において当該表示画面を表示するために参照される表示画面データ（例えば、ＨＴＭＬ形式のデータ、ＸＭＬ形式のデータなど）を生成することを含む。
【００５６】
また、表示画面生成部１０３は、表示画面の１つとして、各ユーザの遺伝子解析結果を参照して得られるデータであって、疾患リスクに関するデータを示す１又は複数のオブジェクトを、各ユーザの属する地域毎に地図上に配置した表示画面（以降、疾患リスクマップとも記載する）を生成する。なお、疾患リスクマップの生成の詳細については、図面を変えて後述する。また、表示画面生成指示のうち、疾患リスクマップを生成する旨の指示を、以降ではマップ生成指示とも記載する。
【００５７】
疾患リスク情報抽出部１０２は、通信部１０１から供給される供給されたマップ生成指示に従い、健康情報ＤＢ２０から疾患リスク情報を抽出する。疾患リスク情報抽出部１０２は更に、マップ生成指示に従い、健康情報ＤＢ２０から抽出した疾患リスク情報から、表示画面生成部１０３における疾患リスクマップの生成に必要なデータを抽出する。疾患リスク情報抽出部１０２は、抽出したデータを、表示画面生成部１０３に供給する。なお、疾患リスクマップの生成に必要なデータの抽出については後述する。
【００５８】
（ユーザ端末の構成）
ユーザ端末３０は、図１に示すように、通信部３０１、制御部３０２、表示部３０３、及び、操作部３０４を備えている。
【００５９】
通信部３０１は、表示管理サーバ１０とネットワークを介して無線通信を行うインターフェースである。通信部３０１は、表示管理サーバ１０の通信部１０１から、当該ユーザ端末３０に表示する疾患リスクマップを示す表示画面データを受信する。例えば、ＨＴＭＬ形式で受信された表示画面データは、ユーザ端末３０のブラウザ等で表示される。
【００６０】
操作部３０４は、ユーザ端末３０に対するユーザ操作を受け付ける。例えば、操作部３０４は、当該ユーザ端末３０を所有するユーザを示すユーザＩＤの入力、及び、表示画面生成指示などを受け付ける。また、操作部３０４は、表示画面における何れかのオブジェクトにフォーカスを合わせるユーザ操作（これは、例えば、当該オブジェクトにカーソルを重畳させることによってなされる）、及び、表示画面における何れかのオブジェクトを選択するユーザ操作（これは、例えば、当該オブジェクトにフォーカスを合わせたうえで、ボタンを押下すること等によってなされる）を受け付ける。
【００６１】
制御部３０２は、ユーザ端末３０の備える各部を統合的に制御する。また、制御部３０２は、通信部３０１において受信した表示画面データの示す疾患リスクマップを表示するよう表示部３０３を制御する。さらに、制御部３０２は、操作部３０４を操作することにより入力されたユーザＩＤ及び表示画面生成指示などを表示管理サーバ１０に送信するよう通信部３０１を制御する。
【００６２】
〔疾患リスクマップ生成処理〕
次に、本実施形態に係る表示管理サーバ１０における疾患リスクマップ生成処理の流れについて、図６を参照して説明する。図６は、本実施形態に係る表示管理サーバ１０において疾患リスクマップ生成処理が実行される際の、表示管理サーバ１０、健康情報ＤＢ２０、及び、ユーザ端末３０における処理の流れを示すシーケンス図である。
【００６３】
（ステップＳ１０１）
まず、ユーザ端末３０の通信部３０１は、表示管理サーバ１０の通信部１０１に対して、マップ生成指示を通知する。表示管理サーバ１０の通信部１０１は、当該マップ生成指示を取得する。
【００６４】
なお、マップ生成指示は、例えば、ユーザの遺伝子解析結果に基づいて生成された疾患又は該疾患の因子に関する表示画面においてユーザが操作部３０４を操作して気になる疾患を選択（指定）することによってなされてもよいし、疾患リスクマップを表示するためのＵＩ（User Interface）を選択することによってなされてもよいし、特に限定されない。
【００６５】
（ステップＳ１０２、Ｓ１０３）
表示管理サーバ１０の疾患リスク情報抽出部１０２は、ステップＳ１０１にて取得されたマップ生成指示に従って健康情報ＤＢ２０にアクセスし、疾患リスク情報を健康情報ＤＢ２０から抽出する。このとき、健康情報ＤＢ２０は、疾患リスク情報を疾患リスク情報抽出部１０２に送信する。
【００６６】
（ステップＳ１０４）
疾患リスク情報抽出部１０２は、更に、疾患リスク情報から、疾患リスクマップの生成に必要なデータを抽出する。ここで、疾患リスクマップの生成に必要な情報には、疾患リスクマップに表示する対象となる疾患の疾患リスクに関する情報、及び、該疾患に関する疾患リスクの統計を得るための単位を指定する情報が含まれる。なお、疾患リスクマップの生成に必要な情報は、マップ生成指示により指示されもよいし、ユーザが前回疾患リスクマップの生成を指示した際に最後に疾患リスク情報から抽出していた情報を疾患リスクマップの生成に必要な情報として採用してもよいし、特に限定されない。
【００６７】
例えば、マップ生成指示において、単位として「地方」が指定され、疾患として「疾患Ａ」が指定されている場合には、疾患リスク情報抽出部１０２は、取得した疾患リスク情報のうち、図５に示す地方毎の疾患リスクから「疾患Ａ」に関する疾患リスクを抽出する。
【００６８】
疾患リスク情報抽出部１０２は、疾患リスク情報から抽出した疾患リスクマップの生成に必要なデータ（指定された疾患に関する、指定された単位毎の疾患リスク）を、表示画面生成部１０３に供給する。
【００６９】
（ステップＳ１０５）
表示画面生成部１０３は、疾患リスク情報抽出部１０２から供給された疾患リスクマップの生成に必要なデータを参照して、疾患リスクマップを生成する。
【００７０】
（ステップＳ１０６）
表示管理サーバ１０は、表示画面生成部１０４において生成した疾患リスクマップを、通信部１０１を介してユーザ端末３０に配信する。
【００７１】
（ステップＳ１０７）
ユーザ端末３０の制御部３０２は、表示管理サーバ１０から通信部３０１を介して取得した疾患リスクマップを、表示部３０３に表示させる。
【００７２】
なお、上述の表示画面生成処理では、表示管理サーバ１０が疾患リスク情報を健康情報ＤＢ２０から抽出（取得）する構成を例に挙げて説明したが、これに限定されるものではない。表示管理サーバ１０は、例えば、ネットワークを介して外部のサーバ及びデータベースなどの装置から疾患リスク情報を取得してもよい。
【００７３】
なお、マップ生成指示における疾患の指定は、例えば、ユーザの遺伝子解析結果に基づいて生成された疾患又は該疾患の因子に関する表示画面においてユーザが気になる疾患を選択したことによって指定されてもよいし、図６に示す疾患リスクマップに含まれる疾患指定窓５０１においてユーザが所望の疾患を選択することによって指定されてもよい。また、マップ生成指示において疾患の指定がない場合には、前回疾患リスクマップを生成した際に最後に指定されていた疾患を、今回の疾患リスクマップの生成の際に指定される疾患として採用してもよいし、予め定められた疾患を指定されている疾患として採用してもよい。
【００７４】
また、マップ生成指示における単位の指定は、例えば、図６に示す疾患リスクマップに含まれる単位指定窓５０２においてユーザが所望の単位を選択することによって指定されてもよい。また、マップ生成指示において単位の指定がない場合には、前回疾患リスクマップを生成した際に最後に指定されていた単位を、今回の疾患リスクマップの生成の際に指定される単位として採用してもよいし、予め定められた単位を指定されている疾患として採用してもよい。
【００７５】
〔疾患リスクマップ〕
（地方毎に疾患リスクの統計を表示する疾患リスクマップの一例）
ここで、本実施形態に係る表示管理サーバ１０の備える制御部１１０の表示画面生成部１０３において生成される疾患リスクマップの一例について図７を参照して説明する。図７は、本実施形態に係る表示画面生成部１０３において生成される疾患リスクマップ５０の一例を示す図である。
【００７６】
図７に示すように、疾患リスクマップ５０には、各ユーザの遺伝子解析結果を参照して得られるデータであって疾患リスクに関するデータを示す１又は複数のオブジェクトが、各ユーザの属する地域（より具体的には、北海道、東北、関東、中部、近畿、中国、四国等の地方）毎に地図上に配置されている。なお、疾患リスクマップ５０では、各ユーザの遺伝子解析結果を参照して得られるデータは、疾患リスク情報のうち、図５に示す地方毎の疾患リスクの平均値である。
【００７７】
また、疾患リスクマップ５０には、該疾患リスクマップ５０に表示する対象となる疾患を指定する疾患指定窓５０１、及び、該疾患指定窓５０１において指定されている疾患に関する疾患リスクの統計を得るための単位を指定する単位指定窓５０２が含まれている。
【００７８】
図７に示す例では、マップ生成指示において疾患として「疾患Ａ」が指定されており、単位として「地方」が指定されており、これにより、疾患指定窓５０１に「疾患Ａ」が表示され、単位指定窓５０２に「地方別」が表示されている。つまり、疾患リスクマップ５０を生成するために、表示画面生成部１０３では、各ユーザの遺伝子解析結果を参照して得られるデータとして、図５に示す地方毎の疾患リスクの平均値のうち、疾患Ａに関する疾患リスクの平均値が参照されている。
【００７９】
更に、疾患リスクマップ５０において、オブジェクトは、上記疾患リスクの地域毎の統計に関するデータ（ここでは、疾患リスクの地域毎の平均値）を示すものであって、上記データに応じた色（図７の例では、説明の容易化のため色に代えてハッチング）が付されている。換言すれば、疾患リスクマップ５０において、オブジェクトとして、疾患Ａに関する地域毎の疾患リスクの平均値に応じて該平均値の属する値の範囲の異なる地域が識別可能に色分けされた各地域（北海道、東北、関東、中部、近畿、中国、四国、九州）が地図上に表示されている。また、疾患リスクマップ５０には、疾患リスクマップ５０に表示されるオブジェクトの各色と、該色に色分けされる疾患リスクの平均値の属する範囲とが関連付けられて表示される、色分け説明欄５０３が含まれている。
【００８０】
なお、本実施形態においては、「オブジェクト」との文言には、例えば、色自体およびハッチング自体なども含まれ得る。ここで、図７に示す例では、上述のように説明の容易化のために色に代えてハッチングを付していたが、もちろん、疾患リスクマップ５０において、オブジェクトに疾患リスクの地域毎の平均値に応じたハッチングが付される構成であってもよい。
【００８１】
なお、疾患リスクマップ５０に含まれる疾患指定窓５０１において、疾患として例えば、疾患Ａ、疾患Ｂ、及び、疾患Ｃなどを指定可能であり、また、単位指定窓５０２において、単位として例えば、地方、都道府県、市町村、及び、ユーザなどを指定可能である。
【００８２】
図７に示す疾患リスクマップ５０では、北海道地方における疾患Ａの疾患リスクの平均値が０．５未満の範囲に属しており、東北地方における疾患Ａの疾患リスクの平均値が１．３以上１．５未満の範囲に属していることを示している。
【００８３】
疾患リスクマップ５０に含まれる疾患指定窓５０１又は単位指定窓５０２において、現在指定されている疾患又は単位と異なる疾患又は単位が指定された場合、表示画面生成部１０３は、新たに指定された疾患又は単位に従い、新たな疾患リスクマップを生成する。
【００８４】
具体的には、所望の疾患を選択（指定）するユーザによる選択指示を示す選択情報が通信部１０１（選択情報取得手段）において取得されると、表示画面生成部１０３は、上述のデータのうち、選択情報によって指定される疾患の疾患リスクに関するデータ（疾患リスク情報のうち、図５に示す疾患リスクにおける指定される疾患に関する疾患リスク）を示す１又は複数のオブジェクトを、各ユーザの属する地域毎に地図上に表示した新たな疾患リスクマップを生成する。
【００８５】
（ユーザ別に疾患リスクを表示する疾患リスクマップの一例）
次に、本実施形態に係る表示管理サーバ１０の備える制御部１１０の表示画面生成部１０３において生成される疾患リスクマップの他の一例について図８を参照して説明する。図８は、本実施形態に係る表示画面生成部１０３において生成される疾患リスクマップの他の一例を示す図である。
【００８６】
図８に示すように、疾患リスクマップ６０には、各ユーザの遺伝子解析結果を参照して得られるデータであって疾患リスクに関するデータを示す１又は複数のオブジェクトが、各ユーザの属する地域毎に地図上に配置されている。なお、疾患リスクマップ６０では、各ユーザの遺伝子解析結果を参照して得られるデータは、疾患リスク情報のうち、図３に示すユーザ毎の疾患リスクである。
【００８７】
また、疾患リスクマップ６０には、疾患指定窓６０１、及び、単位指定窓６０２が含まれている。
【００８８】
図８に示す例では、マップ生成指示において疾患として「疾患Ａ」が指定されており、単位として「ユーザ」が指定されており、これにより、疾患指定窓６０１に「疾患Ａ」が表示され、単位指定窓６０２に「ユーザ別」が表示されている。つまり、疾患リスクマップ６０を生成するために、表示画面生成部１０３では、各ユーザの遺伝子解析結果を参照して得られるデータとして、図３に示すユーザ毎の疾患リスクのうち、疾患Ａに関する疾患リスクが参照されている。
【００８９】
更に、疾患リスクマップ６０においては、オブジェクトは、各地域に属する各ユーザのユーザ毎の疾患リスクに関するデータを示すアイコン（図８の例では、地図上に配置された「○」）であって、上記データに応じた色（図８の例では、説明の容易化のため色に代えてハッチング）が付されている。換言すれば、疾患リスクマップ６０では、オブジェクトとして、疾患Ａに関するユーザ毎の疾患リスクに応じて該疾患リスクの異なるユーザが識別可能に色分けされた円形のアイコンが地図上に表示されている。また、疾患リスクマップ６０には、疾患リスクマップ６０に表示されるオブジェクトの各色と、該色に色分けされる疾患リスクの平均値の範囲とが関連付けられて表示される、色分け説明欄６０３が含まれている。
【００９０】
疾患リスクマップ６０では、例えば北海道に、疾患Ａの疾患リスクが０．５未満の範囲に属するユーザが８人、疾患リスクが０．６以上０．８未満の範囲に属するユーザが１人、疾患リスクが０．８以上１．０未満の範囲に属するユーザが２人、疾患リスクが１．３以上１．５未満の範囲に属するユーザが２人、疾患リスクが１．５以上の範囲に属するユーザが１人、それぞれ存在することを示している。
【００９１】
なお、疾患リスクマップにおいて地図上に配置されるオブジェクトは、上述のオブジェクトに限定されるものではない。例えば、オブジェクトは、各地域に属する統計の対象となるユーザの数を半径で示す円グラフであって統計値の属する範囲に応じた色が付された円グラフであってもよいし、各ユーザの疾患リスクの値又は各地域における統計値の属する範囲に応じた高さを有する柱状のオブジェクトであってもよい。また、疾患リスクマップにおいて地図上に配置されるオブジェクトを、ユーザが任意に選択できる構成であってもよい。この場合には、表示管理サーバ１０の表示画面生成部１０３は、通信部１０１を介してユーザ端末３０から取得したオブジェクトの選択に関する指示に従って、オブジェクトを変更すればよい。
【００９２】
さらに、表示画面生成部１０３は、特定の地域（地方、都道府県、又は、市町村など）において、特定の疾患の疾患リスクが高い場合に、該特定の疾患を地図上の該特定の地域に表示する疾患リスクマップを生成してもよい。換言すれば、表示画面生成部１０３は、各地域において最も疾患リスクの高い疾患を示すオブジェクト（疾患に関するデータを示すオブジェクト）を地図上に配置した疾患リスクマップを生成してもよい。
【００９３】
この場合には、例えば、まず、疾患リスク情報抽出部１０２は、健康情報ＤＢから抽出した疾患リスク情報から、それぞれの地域において最も疾患リスクの高い疾患を抽出する。そして、表示画面生成部１０３は、疾患リスク情報抽出部１０２において抽出された、各地域における最も疾患リスクの高い疾患を参照することにより、各地域において最も疾患リスクの高い疾患を示すオブジェクトを地図上に配置した疾患リスクマップを生成する。
【００９４】
なお、各地域において最も疾患リスクの高い疾患を示すオブジェクトは、例えば、疾患の名称であってもよいし、疾患毎に色分けされた地域であってもよいし、疾患を示すアイコンであってもよいし、特に限定されるものではない。
【００９５】
また、疾患リスクマップにおいて表示される地図は、日本全国を表す地図に限定されるものではない。例えば、地図は、ユーザの属する地方を表す地図、都道府県を表す地図、市町村を表す地図、及び、世界地図などであってもよい。また、疾患リスクマップに表示される地図を、ユーザが任意に選択できる構成であってもよい。
【００９６】
〔ソフトウェアによる実現例〕
表示管理サーバ１０及びユーザ端末３０の制御ブロック（特に、制御部１１０の疾患リスク情報抽出部１０２及び表示画面生成部１０３、並びに、制御部３０２）は、集積回路（ＩＣチップ）等に形成された論理回路（ハードウェア）によって実現してもよいし、ＣＰＵ（Central Processing Unit）を用いてソフトウェアによって実現してもよい。
【００９７】
後者の場合、表示管理サーバ１０及びユーザ端末３０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００９８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９９】
本発明は、表示画面を生成するサーバに好適に利用することができる。
【符号の説明】
【０１００】
１      健康管理システム
１０    表示管理サーバ
２０    健康情報ＤＢ
３０    ユーザ端末
４０    検査装置
１０１  通信部（選択情報取得手段）
１０２  疾患リスク情報抽出部
１０３  表示画面生成部（画面生成手段）
１１０  制御部
３０１  通信部
３０２  制御部
３０３  表示部
３０４  操作部
【図１】
2016033796.tif 000003
【図２】
2016033796.tif 000004
【図３】
2016033796.tif 000005
【図４】
2016033796.tif 000006
【図５】
2016033796.tif 000007
【図６】
2016033796.tif 000008
【図７】
2016033796.tif 000009
【図８】
2016033796.tif 000010